(57)【要約】【課題】トレーを汚し難く、悪臭が発生し難く、衛生的で、経済的なペット用シーツを提供すること。【解決手段】本発明のペット用シーツ１Ａは、液透過性の表面シート２、液不透過性の裏面シート３、両シート２，３間に配された矩形状の吸収体４を備えている。ペット用シーツ１Ａは、他のペット用シーツと並置して使用される。少なくとも裏面シート３は、吸収体４より大きく、該吸収体４の周囲から延出している。裏面シート３における吸収体４の短手方向（Ｘ方向）の両端から延出した両端側の裏面シート延出部分３１，３２の内の何れか一方が、吸収体４の上面側に巻き上げられている。【選択図】図１
2015204798.tif 000002
【特許請求の範囲】
【請求項１】
液透過性の表面シート、液不透過性の裏面シート、両シート間に配された矩形状の吸収体を備えたペット用シーツであって、
前記ペット用シーツは、他のペット用シーツと並置して使用され、該並置された方向を前記吸収体の短手方向とするペット用シーツであり、
少なくとも前記裏面シートは、前記吸収体より大きく、該吸収体の周囲から延出しており、該裏面シートにおける該吸収体の短手方向の両端から延出した両端側の裏面シート延出部分の内の何れか一方が、該吸収体の上面側に巻き上げられており、該巻き上げられた側に前記他のペット用シーツを並置するペット用シーツ。
【請求項２】
前記表面シートは、前記吸収体より大きく、該吸収体の短手方向の一端から延出する表面シート延出部分を有し、該吸収体の短手方向の他端まで延在する表面シート他端部を有しており、
前記吸収体の短手方向の一端側においては、一端側の裏面シート延出部分と前記表面シート延出部分とが接合されており、
前記吸収体の短手方向の前記裏面シート延出部分が吸収体上面側に巻き上げられた側である他端側においては、他端側の裏面シート延出部分が、該吸収体の上面側に巻き上げられて、前記表面シート他端部上に配され固定されている請求項１に記載のペット用シーツ。
【請求項３】
前記表面シートは、前記吸収体より大きく、該吸収体の短手方向の一端から延出する表面シート延出部分を有し、該吸収体の短手方向の他端まで延在する表面シート他端部を有しており、
前記吸収体の短手方向の一端側においては、一端側の裏面シート延出部分と前記表面シート延出部分とが接合されており、
前記吸収体の短手方向の前記裏面シート延出部分が吸収体上面側に巻き上げられた側である他端側においては、他端側の裏面シート延出部分が、該吸収体の上面側に巻き上げられて、該吸収体と前記表面シート他端部との間に配され固定されている請求項１に記載のペット用シーツ。
【請求項４】
請求項１〜３の何れか１項に記載のペット用シーツを２枚並置して一組で使用するペット用シーツセットであって、
２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用シーツセット。
【請求項５】
トイレ本体、及び該トイレ本体内を上層部分と下層部分とに区画する仕切部材を備え、該上層部分に便床を形成する粒状物を収容するペット用トイレに収容されて用いられる請求項１〜３の何れか１項に記載のペット用シーツであって、
前記ペット用シーツは、前記ペット用トイレの前記下層部分に、２枚並置して収容され、２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用シーツ。
【請求項６】
トイレ本体、及び該トイレ本体内を上層部分と下層部分とに区画する仕切部材を備え、該上層部分に便床を形成する粒状物を収容するペット用トイレと、該ペット用トイレに収容されて用いられる請求項１〜３の何れか１項に記載のペット用シーツとを有するペット用トイレシステムであって、
前記ペット用シーツは、前記ペット用トイレの前記下層部分に、２枚並置して収容され、２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用トイレシステム。
【請求項７】
前記仕切部材に、尿誘導部材が形成され、該尿誘導部材は、隣り合う２枚の前記ペット用シーツの何れかに尿を誘導するため、隣り合う２枚の前記ペット用シーツの境界に沿って延在して設けられている請求項６に記載のペット用トイレシステム。
【発明の詳細な説明】
【技術分野】
【０００１】
本発明は、猫や犬等のペット用シーツ及びそれを用いたペット用トイレシステムに関する。
【背景技術】
【０００２】
従来、犬や猫等のペットを住居内で飼育する際に、ペットが排泄した尿等の排泄物を吸収するためのペット用トイレとして、例えば、特許文献１，２に記載されたもの等が挙げられる。特許文献１，２に記載されたペット用トイレは、トイレ本体を簀の子等の液透過性構造を有する仕切部材により上下に区画して、上層部分に耐水性の猫砂等の便床を形成する粒状物を収容し、下層部分のトレーにペット用シーツを配置して使用される。排泄された尿は、上層部分に収容された耐水性の粒状物を通過してペット用シーツに吸収される。
【０００３】
ところで、猫や犬等のペットは、ペット用トイレの便床の一定の場所で排泄する習性があるため、ペット用シーツの一部しか使用されないことがある。そのため、このペット用シーツの前後を入れ替えたりして、汚れていない部分をペットが排尿する場所にくるようにして再使用されることがある。
【０００４】
このようなペット用シーツの再使用により、ペット用シーツにおける尿を吸収していない部分を有効に利用でき、ペット用シーツの使用期間を長くすることができる。特に、特許文献２に記載のペット用トイレは、ペット用シーツを収容するトレーが、トイレ本体の前方から引き出されて取り外され、前後の位置を入れ替えてトイレ本体に収容できるようになっており、ペット用シーツをトレーから取り出すことなく簡単にその前後方向を入れ替えることができ、衛生的に入れ替え作業を行える。
【先行技術文献】
【特許文献】
【０００５】
【特許文献１】特開平１０−２２９７６８号公報
【特許文献２】特開２００７−０００１２４号公報
【発明の概要】
【発明が解決しようとする課題】
【０００６】
しかし、ペット用シーツの片側の一部に尿が吸収されたとしても、尿を吸収した状態で長時間放置されると、見た目上、尿を直接吸収した部分以外の残りの領域は吸収していないようであるが、吸収体内部で尿が拡散してしまい、もはやペット用シーツ本来の十分な吸収性を発揮できないといった問題がある。このように本来の十分な吸収性を発揮できないと、尿が漏れ出し、トレーが汚れてしまうことがあった。また、悪臭が発生し易いという問題があった。さらに、室内で使用されることから衛生的にも不快を感じることになる。
【０００７】
従って、本発明は、前述した従来技術を改良したペット用シーツを提供することにある。
【課題を解決するための手段】
【０００８】
本発明は、液透過性の表面シート、液不透過性の裏面シート、両シート間に配された矩形状の吸収体を備えたペット用シーツであって、前記ペット用シーツは、他のペット用シーツと並置して使用され、該並置された方向を前記吸収体の短手方向とするペット用シーツであり、少なくとも前記裏面シートは、前記吸収体より大きく、該吸収体の周囲から延出しており、該裏面シートにおける該吸収体の短手方向の両端から延出した両端側の裏面シート延出部分の内の何れか一方が、該吸収体の上面側に巻き上げられており、該巻き上げられた側に前記他のペット用シーツを並置するペット用シーツを提供するものである。
【０００９】
また、本発明は、トイレ本体、及び該トイレ本体内を上層部分と下層部分とに区画する仕切部材を備え、該上層部分に便床を形成する粒状物を収容するペット用トイレと、該ペット用トイレに収容されて用いられる前記ペット用シーツとを有するペット用トイレシステムであって、前記ペット用シーツは、前記ペット用トイレの前記下層部分に、２枚並置して収容され、２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用トイレシステムを提供するものである。
【発明の効果】
【００１０】
本発明によれば、トレーを汚し難く、悪臭が発生し難く、衛生的で、経済的である。
【図面の簡単な説明】
【００１１】
【図１】図１は、本発明の第１実施形態のペット用シーツを、表面シート側から見た平面図である。
【図２】図２は、図１に示すＩＩ−ＩＩ線断面図である。
【図３】図３は、図２に示す吸収体の構成を説明するための断面図である。
【図４】図４は、図１に示すペット用シーツを２枚並置して一組で使用するペット用シーツセットの平面図である。
【図５】図５は、図４に示すＶ−Ｖ線断面図である。
【図６】図６は、図１に示すペット用シーツを２枚並置してペット用トイレに収容したペット用トイレシステムの模式的な分解斜視図である。
【図７】図７は、図６に示すペット用トイレの収容部にペット用シーツを２枚並置した状態を示す斜視図である。
【図８】図８は、図１に示すペット用シーツを２枚並置してペット用トイレに収容したペット用トイレシステムの使用状態における長手方向に沿った断面を模式的に示す断面図である。
【図９】図９は、本発明の第２実施形態のペット用シーツにおける短手方向に沿った断面図である（図２相当図）。
【図１０】図１０は、他の形態の吸収体の構成を説明するための断面図である（図３相当図）。
【発明を実施するための形態】
【００１２】
以下、本発明のペット用シーツの好ましい第１実施形態について、図１〜図５に基づいて説明する。なお本発明の矩形状の吸収体は、４辺が等しい正方形も含み、この場合の短手方向は、ペット用トイレのトレーの中に複数のペット用シーツが並置された方向とし、該方向に直交する方向を長手方向とする。長手方向に直交する方向の短手方向がペット用シートの並置方向と略一致する。
第１実施形態のペット用シーツ１Ａ（以下、「シーツ１Ａ」とも言う。）は、液透過性の表面シート２、液不透過性の裏面シート３、及び両シート間に配された矩形状の吸収体４を備えている。図中のＸ方向は、吸収体４の短手方向と同じ方向であり、シーツ１Ａの短手方向（幅方向）と同じ方向でもある。図中のＹ方向は、吸収体４の長手方向と同じ方向であり、シーツ１Ａの長手方向と同じ方向でもある。また、図中のＺ方向は、厚み方向である。
【００１３】
ペット用シーツ１Ａは、他のペット用シーツと並置して使用され、該並置された方向を吸収体４の短手方向とするペット用シーツである。ここで、「他のペット用シーツ」とは、シーツ１Ａと同一のペット用シーツであってもよいし、シーツ１Ａと異なる別のペット用シーツであってもよい。
【００１４】
シーツ１Ａは、図１に示すように、平面視して、Ｙ方向に長い長方形状に形成されている。シーツ１Ａは、Ｙ方向の長さが２２０ｍｍ〜５８０ｍｍ程度に形成されており、Ｘ方向の長さが１１０ｍｍ〜４４０ｍｍ程度に形成されている。また、シーツ１ＡのＺ方向の厚みは、１．０ｍｍ〜１２ｍｍ程度に形成されている。尚、厚みの測定においては、無加圧状態で、その断面を電子顕微鏡や光学顕微鏡を用いて撮影することにより測定する。
【００１５】
表面シート２は、シーツ１Ａにおいては、図１，図２に示すように、Ｙ方向に長い矩形状に形成されている。表面シート２は、矩形状の吸収体４より大きく、吸収体４の短手方向（Ｘ方向）の一端から延出する表面シート延出部分２１を有し、吸収体４の短手方向（Ｘ方向）の他端まで延在する表面シート他端部２２を有している。また、シーツ１Ａの表面シート２は、吸収体４の長手方向（Ｙ方向）の両端それぞれから延出する長手側表面シート延出部分２３を有している。このように、表面シート２は、表面シート他端部２２の端と吸収体４のＸ方向の他端とが一致しており、吸収体４のＸ方向の一端及び吸収体４のＹ方向の両端から外方に延出した矩形状に形成されている。
【００１６】
表面シート２は、例えば、シーツ１Ａが後述するペット用トイレ１０１に用いられる場合には、飼い主のハンドリング性（シーツ１Ａをペット用トイレ１０１にセットする時や尿吸収後のシーツ１Ａを交換する時、そして丸めて廃棄する時のシート強度）と、液透過性とを考慮した経済的な材料であればよく、一般的な低坪量の液透過性の不織布であればよい。経済性の観点から、表面シート２に用いられる液透過性の不織布は、その坪量が、５０ｇ／ｍ２以下であることが好ましく、３０ｇ／ｍ２以下であることが更に好ましい。前記不織布は、公知の技術によって製造される液透過性の不織布であればよい。
【００１７】
裏面シート３は、図１，図２に示すように、Ｙ方向に長い矩形状に形成されている。裏面シート３は、矩形状の吸収体４より大きく、当初、吸収体４の周囲から延出しており、吸収体４の短手方向（Ｘ方向）の一端から延出する一端側の裏面シート延出部分３１を有し、吸収体４の短手方向（Ｘ方向）の他端から延出する他端側の裏面シート延出部分３２を有している。また、シーツ１Ａの裏面シート３は、吸収体４の長手方向（Ｙ方向）の両端それぞれから延出する長手側裏面シート延出部分３３，３３を有している。このように、裏面シート３は、当初、表面シート２よりも広く、吸収体４の全周囲から延出した矩形状に形成されている。
【００１８】
裏面シート３は、例えば、シーツ１Ａが後述するペット用トイレ１０１に用いられる場合には、前記飼い主のハンドリング性と液不透過性とを考慮すればよく、通常用いられるポリエチレン製等のフィルムであればよい。経済性の観点から、裏面シート３に用いられる液不透過性のフィルムは、その坪量が、４０ｇ／ｍ２以下であることが好ましくは、２５ｇ／ｍ２以下であることが更に好ましい。
【００１９】
吸収体４は、図１，図２に示すように、Ｙ方向に長い矩形状に形成されている。吸収体４は、Ｙ方向の長さが２００ｍｍ〜５００ｍｍ程度に形成されており、Ｘ方向の長さが１００ｍｍ〜４００ｍｍ程度に形成されている。また、吸収体４のＺ方向の厚みは、０．５ｍｍ〜１０ｍｍ程度に形成されている。
【００２０】
吸収体４は、尿などの液吸収性を有するものであれば、その種類は特に制限されず、例えば高吸収性ポリマー、フラッフパルプ等からなる吸収性コアを、紙（台紙），不織布等からなるコアラップシートで包んだものなどが挙げられる。例えば、フラッフパルプの集合体内に高吸収性ポリマーが分散配置された吸収性コアの全体を、薄い台紙からなるコアラップシートで覆って形成されているものが好適に使用できる。高吸収性ポリマーはフラッフパルプ中に混合された状態で用いられる他、裏面シート３側に散布されたり、層状にして厚み方向中央に挿入されたり、或いは、公知手段によりポリマーシート化するなどの手段で部分的に配置されてもよい。尚、高吸収性ポリマーを含有しない形態であってもよい。シーツ１Ａにおいては、フラッフパルプの集合体のＺ方向中央に、高吸収性ポリマーを層状にして挿入して形成された吸収性コアをコアラップシートで包んだ吸収体４が使用されている。以下、シーツ１Ａの吸収体４について詳述する。
【００２１】
シーツ１Ａの吸収体４は、図３に示すように、Ｙ方向に長い矩形状の吸収性コア４１をコアラップシート４４で包んで形成されている。具体的には、吸収性コア４１は、フラッフパルプの上層側の集合体４２ｕとフラッフパルプの下層側の集合体４２ｄとの間に、高吸収性ポリマー４３を散布して積層して形成されている。尿の吸収や高吸収性ポリマー４３への尿の移動がスムーズに行われる観点から、上層側の集合体４２ｕの坪量の方が、下層側の集合体４２ｄの坪量よりも低く形成されていることが好ましい。そして、吸収性コア４１は、Ｙ方向の両端を除いて、全体がコアラップシート４４で被覆されている。
【００２２】
具体的には、コアラップシート４４は、図３に示すように、寸法の異なる上層コアラップシート４４ｕと下層コアラップシート４４ｄとから構成されている。上層コアラップシート４４ｕは、Ｘ方向及びＹ方向の長さが、吸収性コア４１のＸ方向及びＹ方向の長さと略一致するように形成されている。下層コアラップシート４４ｄは、Ｙ方向の長さが、吸収性コア４１のＹ方向の長さと略一致しており、Ｘ方向の長さが吸収性コア４１のＸ方向の長さよりも長く、上層コアラップシート４４ｕよりも幅広に形成されている。そして、上層コアラップシート４４ｕは、吸収性コア４１の上面に対向して配されている。また、下層コアラップシート４４ｄは、吸収性コア４１の下面に対向して配され、吸収性コア４１のＸ方向の両端から延出した部分が、吸収性コア４１の上面を被覆する上層コアラップシート４４ｕの上面上に巻き上げられている。このようにして、シーツ１Ａの吸収体４は形成されている。また、吸収性コア４１には、必要に応じて消臭剤や抗菌剤、香料等を添加することができる。
【００２３】
シーツ１Ａの吸収体４について更に詳述すると、図３に示すように、吸収体４を構成する吸収性コア４１の上層側の集合体４２ｕは、Ｘ方向の両端部が、押圧等され、Ｘ方向中央部のＺ方向の厚みに比べて、Ｚ方向の厚みが薄くなっている。具体的には、上層側の集合体４２ｕのＹ方向に沿う両側部全域に亘って、集合体４２ｕのＸ方向の両端部が、Ｘ方向の外方に向かって漸次薄くなっている。
【００２４】
以上の構成を有するシーツ１Ａは、少なくとも裏面シート３における吸収体４の短手方向（Ｘ方向）の両端から延出した両端側の裏面シート延出部分３１，３２の内の何れか一方が、吸収体４の上面側に巻き上げられている。具体的には、図２に示すように、吸収体４の短手方向（Ｘ方向）の一端側においては、一端側の裏面シート延出部分３１と表面シート延出部分２１とが接合されている。そして、吸収体４の短手方向（Ｘ方向）の他端側においては、他端側の裏面シート延出部分３２が、吸収体４の上面側に巻き上げられて、表面シート他端部２２上に配され固定されている。このように、吸収体４の短手方向（Ｘ方向）の他端側とは、裏面シート延出部分３２が吸収体４の上面側に巻き上げられた側である。詳述すると、表面シート２と吸収体４との間、裏面シート３と吸収体４との間は、ホットメルト接着剤等の接合手段により接合されている。そして、吸収体４のＸ方向の一端側においては、裏面シート延出部分３１と表面シート延出部分２１とが、ホットメルト接着剤等の接合手段により接合されて、サイドフラップ５を形成している。また、吸収体４のＸ方向の他端側においては、裏面シート延出部分３２が、吸収体４の上面側に巻き上げられて、表面シート他端部２２上に配され、表面シート他端部２２と裏面シート延出部分３２が、ホットメルト接着剤等の接合手段により接合されて、裏面シート巻き上げ部６を形成している。裏面シート延出部分３１と表面シート延出部分２１とを接合してなるサイドフラップ５は、Ｘ方向の幅が、１０ｍｍ以上４０ｍｍ以下に形成されていることが好ましく、２０ｍｍ以上３０ｍｍ以下に形成されていることが更に好ましい。尚、ホットメルト接着剤の塗布は、線状、面状、ドット状、スパイラル状、或いは霧状等であってもよい。
【００２５】
また、吸収体４のＹ方向の両端側においては、両端それぞれから延出する長手側表面シート延出部分２３と長手側裏面シート延出部分３３とが、ホットメルト接着剤等の接合手段により接合され固定されて、フラップを形成している。長手側表面シート延出部分２３と長手側裏面シート延出部分３３とを接合してなる各フラップは、Ｙ方向外方に延出しており、Ｙ方向の幅が、１０ｍｍ以上４０ｍｍ以下に形成されていることが好ましく、２０ｍｍ以上３０ｍｍ以下に形成されていることが更に好ましい。
【００２６】
上述した本発明の第１実施形態のシーツ１Ａを使用した際の作用効果について説明する。
シーツ１Ａは、裏面シート延出部分３１，３２の内の吸収体４の上面側に巻き上げられた側（裏面シート延出部分３２側）に、他のペット用シーツと並置して使用される。以下の説明においては、他のペット用シーツが、シーツ１Ａと同一のシーツ１Ａである場合について説明する。
シーツ１Ａは、図４に示すように、２枚１組で使用される。即ち、シーツ１Ａを２枚並置して一組で使用するペット用シーツセット１０Ａとして使用される。具体的には、後述するように、シーツ１Ａを２枚並置したペット用シーツセット１０Ａをペット用トイレ１０１に収容したペット用トイレシステム１００Ａとして使用される。本発明ではペット用シーツを複数枚並べて使用できるが、２枚〜４枚が好ましく、特に２枚一組で使用することが好ましい。
【００２７】
先ず、ペット用シーツセット１０Ａについて説明する。
ペット用シーツセット１０Ａに関しては、図４に示すように、一方のペット用シーツ１Ａにおける、吸収体４の上面側に巻き上げられた裏面シート延出部分３２側の他端に他方のペット用シーツ1Ａ’を隣接させ、並置して使用する。このように、２枚のペット用シーツ１Ａ，１Ａ’は、一方のペット用シーツ１Ａの有する吸収体４の短手方向（Ｘ方向）の一端と、他方のペット用シーツ1Ａ’の有する吸収体４の短手方向（Ｘ方向）の一端とを隣接させ、面一で配されている。シーツ１Ａとシーツ１Ａ’とは、全く同じ構成であり、Ｙ方向に長い長方形状である。そして、シーツ１Ａとシーツ１Ａ’とは、短手方向（Ｘ方向）の一端側に、裏面シート延出部分３１と表面シート延出部分２１とを接合してなるサイドフラップ５を有している。また、シーツ１Ａとシーツ１Ａ’とは、短手方向（Ｘ方向）の他端側に、裏面シート延出部分３２が、吸収体４の上面側に巻き上げられて、表面シート他端部２２上に配され、表面シート他端部２２と裏面シート延出部分３２を接合してなる裏面シート巻き上げ部６を有している。尚、上述したように、シーツ１Ａとシーツ１Ａ’とは、全く同じ構成であるが、説明を容易にするために、シーツ１Ａ’の構成には、シーツ１Ａの構成に（’）を付けて説明する。
【００２８】
ペット用シーツセット１０Ａは、ペット用トイレのトレー状の収容部にセットして使用され、図４に示すように、２枚のペット用シーツ１Ａ，１Ａ’それぞれの長手方向（Ｙ方向）を一致させ、図５に示すように、一方のペット用シーツ１Ａの有する吸収体４の短手方向（Ｘ方向）の一端と、他方のペット用シーツ1Ａ’の有する吸収体４’の短手方向（Ｘ方向）の一端とが隣接するように、一方のペット用シーツ１Ａの裏面シート巻き上げ部６を、他方のペット用シーツ1Ａ’のサイドフラップ５’上に配して並置してセットされる。ここで、巻き上げられていない他方のペット用シーツ1Ａ’のサイドフラップ５’を形成する表面シート２’と裏面シート３’は、本発明においては、ハンドリング性程度の強度しか要求されないので、低目付の材料でよく、薄く形成でき、他方のペット用シーツ1Ａ’のサイドフラップ５’上に一方のペット用シーツ１Ａを重ねても実質“段差”は出来難い。従って、以上のように並置された一方のペット用シーツ１Ａと他方のペット用シーツ１Ａ’とは、それらの間に、Ｚ方向の厚みに関して段差が無くフラットな状態となり、面一で配されるようになる。図５の断面図ではシート構成の説明の為Ｚ方向の段差があるように見えるが、実際の目視では段差がなくフラットに見える。
【００２９】
特に、ペット用シーツ１Ａ，１Ａ’が共に有する吸収体４，４’は、吸収体４を構成する吸収性コア４１の上層側の集合体４２ｕのＸ方向の両端部が、押圧等されＺ方向の厚みが薄くなっているので、以上のように並置された一方のペット用シーツ１Ａと他方のペット用シーツ１Ａ’とは、更にフラットな状態となり、更に面一で配されるようになる。
【００３０】
以上のように形成されたペット用シーツセット１０Ａは、例えば、図６，図８に示すようなペット用トイレ１０１に収容されてペット用トイレシステム１００Ａとして使用される。
以下、シーツ１Ａを２枚並置してペット用トイレ１０１に収容したペット用トイレシステム１００Ａについて説明する。
ペット用トイレシステム１００Ａは、図６，図８に示すように、トイレ本体１０２、及びトイレ本体１０２内を上層部分Ａと下層部分Ｂとに区画する仕切部材１０３を備え、上層部分Ａに便床を形成する粒状物１０９を収容するペット用トイレ１０１と、ペット用トイレ１０１に収容されて用いられるペット用シーツ１Ａとを有している。言い換えれば、ペット用シーツ１Ａは、トイレ本体１０２、及びトイレ本体１０２内を上層部分Ａと下層部分Ｂとに区画する仕切部材１０３を備え、上層部分Ａに便床を形成する粒状物１０９を収容するペット用トイレ１０１に収容されて用いられる。
【００３１】
ペット用トイレ１０１は、図６に示すように、上部開口を有する外容器１０４と、外容器１０４内に着脱自在に装着される内容器１０５とを備えている。外容器１０４及び内容器１０５は、何れも平面視して略矩形形状（即ち上部開口及び底部１４１ｃが略矩形形状）であり、その四辺の周縁部が全て起立した形態を有するトレー状のものである。外容部１０４の側壁部１４１ａ，１４１ｂ及び底部１４１ｃによって囲まれた内側は、内容器１０５の収容部及びペット用シーツ１Ａ，１Ａ’の収容部となり、内容器１０５の側壁部１５１ａ，１５１ｂ及び底部１５１ｃによって囲まれた内側は、粒状物１０９の収容部となる。ここで、外容器１０４の側壁部１４１ａ及び内容器１０５の側壁部１５１ａは、トイレ本体１０２（外容器１０４、内容器１０５）の長手方向に延びる側壁部であり、外容器１０４の側壁部１４１ｂ及び内容器１０５の側壁部１５１ｂは、該長手方向と直交する方向（幅方向）に延びる側壁部である。尚、トイレ本体１０２（外容器１０４、内容器１０５、後述する収容部１０６）の長手方向は、ペット用シーツ１Ａの短手方向（Ｘ方向）に一致しており、トイレ本体１０２（外容器１０４、内容器１０５）の幅方向（短手方向）は、ペット用シーツ１Ａの長手方向（Ｙ方向）に一致している。
【００３２】
外容器１０４は、図６に示すように、側壁部１４１ａ，１４１ｂの上端部にフランジ部１４２を有している。また、内容器１０５は、側壁部１５１ａ，１５１ｂの上端部にフランジ部１５２を有している。内容器１０５のフランジ部１５２は、図８に示すように、外容器１０４のフランジ部１４２を覆い、内容器１０５のフランジ部１５２の内面と外容器１０４のフランジ部１４２の外面とが嵌合するように形成されている。
【００３３】
内容器１０５の底部１５１ｃは、図６に示すように、液通過構造を有する仕切部材１０３を含んで構成されている。即ち、仕切部材１０３は内容器１０５の一部である。仕切部材１０３は、平面視してＸ方向に長い略矩形形状の板状部材からなり、該仕切部材１０３を厚み方向（Ｚ方向）に貫通する、平面視して略矩形形状の貫通孔１３１を多数有している。多数の貫通孔１３１は、仕切部材１０３のＸ方向及びＹ方向それぞれに所定間隔を置いて配置されている。貫通孔１３１は、上層部分Ａ（内容器５内）の液を下層部分Ｂに通過させるための通液孔として機能する。
【００３４】
外容器１０４及び内容器１０５の大きさは特に制限されない。外容器１０４は、例えばＸ方向の長さが３００ｍｍ〜６００ｍｍ程度、Ｙ方向の長さが２００ｍｍ〜４００ｍｍ程度の平面矩形形状を有し、側壁部１４１ａ，１４１ｂの高さが７０ｍｍ〜２００ｍｍ程度である。また内容器１０５は、例えばＸ方向の長さが２９５ｍｍ〜５９５ｍｍ程度、Ｙ方向の長さが１９５ｍｍ〜３９５ｍｍ程度の平面矩形形状を有し、側壁部１５１ａ，１５１ｂの高さが３０ｍｍ〜１７０ｍｍ程度である。尚、ここに示した外容器１０４及び内容器１０５の各部の寸法は、内寸法（容器１０４，１０５の内側の寸法）である。
【００３５】
ペット用トイレ１０１は、図８に示すように、外容器１０４の上方から内容器１０５をはめ込んだ状態において、内容器１０５の底部１５１ｃを構成する仕切部材１０３と外容器１０４の底部１４１ｃとの間の下層部分Ｂに、ペット用シーツ１Ａ，１Ａ’の収容空間Ｓが形成されるよう構成されている。収容空間Ｓには、ペット用シーツ１Ａ，１Ａ’が配置されるようになる。収用空間Ｓは、ペット用シーツ１Ａ，１Ａ’が尿を吸収して膨らんでも仕切部材１０３に接触せず且つ使用期間内に尿が溢れることがないような、十分な尿吸収容量が確保できるように、適宜設計されることが望ましい。
【００３６】
収容部１０６は、図６に示すように、平面視して略矩形形状（即ち上部開口及び底部１６１ｃが略矩形形状）であり、その四辺の周縁部が全て起立した形態を有するトレー状のものである。収容部１０６の側壁部１６１ａ，１６１ｂ及び底部１６１ｃによって囲まれた内側が、ペット用シーツ１Ａ，１Ａ’の収容部となる。収容部１０６の側壁部１６１ａ，１６１ｂは、その高さが収容部１０６に収容されるペット用シーツ１Ａ，１Ａ’の厚みを超え且つその上端が仕切部材１０３に接触しないように形成されている。
【００３７】
収容部１０６は、図６に示すように、外容器１０４の底部１４１ｃの上面に載置される。収容部１０６は、トイレ本体１０２から引き出し可能に形成されている。収容部１０６の引き出し方向は、Ｘ方向であり、外容器１０４（トイレ本体１０２）の長手方向と平行である。外容器１０４のＹ方向に沿って延びる、相対向する一対の側壁部１４１ｂ，１４１ｂのうちの一方には、下層部分Ｂに相当する部分に、収容部１０６を出し入れする際に利用する開口部１４２が形成されている。開口部１４２の形状及び大きさは、収容部１０６の引き出し方向Ｘと直交する方向の断面形状及び大きさと略同じになされており、開口部１４２から収容部１０６を引き出し或いは挿入することができるように形成されている。収容部１０６の底部１６１ｃは、Ｙ方向の長さがペット用シーツ１Ａの有する吸収体４のＹ方向の長さと略一致しており、Ｘ方向の長さがペット用シーツ１Ａの有する吸収体４のＸ方向の長さの２倍分と略一致している。
【００３８】
ペット用シーツ１Ａは、図８に示すように、ペット用トイレ１０１の下層部分Ｂに配される収容部１０６に、２枚並置して収容される。即ち、収容部１０６にペット用シーツセット１０Ａの状態で収容される。具体的には、収容部１０６の底部１６１ｃ上に、図７に示すように、２枚のペット用シーツ１Ａ，１Ａ’の有する吸収体４，４’それぞれの長手方向（Ｙ方向）を一致させ、図８に示すように、一方のペット用シーツ１Ａの有する吸収体４の短手方向（Ｘ方向）の一端と、他方のペット用シーツ1Ａ’の有する吸収体４’の短手方向（Ｘ方向）の一端とが隣接するように、一方のペット用シーツ１Ａの裏面シート巻き上げ部６を、他方のペット用シーツ1Ａ’のサイドフラップ５’上に配して並置してセットされる。上述したように、収容部１０６の底部１６１ｃは、Ｙ方向の長さが吸収体４の１個のＹ方向の長さと略一致しており、Ｘ方向の長さが吸収体４の２個分のＸ方向の長さと略一致している。その為、上述したように収容部１０６にペット用シーツ１Ａ，１Ａ’の２枚を並置してペット用シーツセット１０Ａの状態で収容すると、図７に示すように、一方のペット用シーツ１Ａのサイドフラップ５が側壁部１６１ｂに沿って上方に折り曲げられ、ペット用シーツ１ＡのＹ方向の両端側のフラップが側壁部１６１ａに沿って上方に折り曲げられるようになる。また、他方のペット用シーツ１Ａ’のＹ方向の両端側のフラップが側壁部１６１ａに沿って上方に折り曲げられるようになる。
【００３９】
ペット用トイレ１０１には、図６，図８に示すように、仕切部材１０３に、尿を誘導する尿誘導部材１０７が形成されている。尿誘導部材１０７は、隣り合う２枚のシーツ１Ａ，１Ａ’の何れかに尿を誘導するため、隣り合う２枚のペット用シーツ１Ａ，１Ａ’の境界に沿って延在して設けられている。言い換えれば、隣り合う２枚のペット用シーツ１Ａ，１Ａ’の境界の上方に位置する仕切部材１０３に、隣り合う２枚のシーツ１Ａ，１Ａ’の何れかに尿を誘導する尿誘導部材１０７が該境界に沿って延在して設けられている。ここで、２枚のペット用シーツ１Ａ，１Ａ’の境界とは、一方のシーツ１Ａの吸収体４のＸ方向の一端と、他方のシーツ１Ａ’の吸収体４のＸ方向の一端とを隣接させた部分を意味する。該隣接させた部分は、吸収体４のＸ方向の一端に沿ってＹ方向に平行に形成されている。尿誘導部材１０７は、ペット用トイレシステム１００Ａにおいては、図６に示すように、仕切部材１０３（内容器１０５の底部１５１ｃ）の上方（上層部分Ａ）に設けられている。
【００４０】
ペット用トイレシステム１００Ａの尿誘導部材１０７は、図６，図８に示すように、仕切部材１０３の上面（上層部分Ａ側の面）に取り付けられており、隣接するシーツ１Ａ，１Ａ’の境界の上方（真上）に位置し、内容器１０５内のＸ方向の全長に亘って、即ち、内容器１０５の対向する一対の側壁部１５１ａ，１５１ａ間に亘って連続している。尿誘導部材１０７は貫通孔１３１を有さず液通過構造を有していない。
【００４１】
尿誘導部材１０７は、図８に示すように、隣接するシーツ１Ａ，１Ａ’の境界の上方（真上）に位置する頂部から各シーツ１Ａ，１Ａ’に向けて斜め下方に延びる斜面１７１，１７１を有している。具体的には、尿誘導部材１０７は、トイレ本体１０２の長手方向（隣接するシーツ１Ａ，１Ａ’の境界と直交する方向）に沿った断面視において、略二等辺三角形形状に形成されており、その二等辺三角形形状部分の頂部が、隣接するシーツ１Ａ，１Ａ’の境界の真上に位置し、該二等辺三角形形状部分の下部が仕切部材１０３の上面と接合されている。２つの斜面１７１，１７１のなす角度αは、２枚のシーツ１Ａ，１Ａ’の何れかに尿を誘導する観点から、２８°以上１７６°以下であることが好ましく、４５°以上１６０°以下であることが更に好ましい。
【００４２】
ペット用トイレ１０１の構成部材（仕切部材１０３、外容器１０４、内容器１０５、収容部１０６、尿誘導部材１０７等）の材質は、耐食性を有するものであれば特に制限はない。軽量で 取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１０１の構成部材は、表面に撥水加工や抗菌加工が施されたものを用いることがより好ましい。
【００４３】
上層部分Ａに収容される粒状物１０９としては、当該技術分野において猫砂やトイレ砂等として用いられている粒状物を特に制限無く用いることができる。粒状物１０９は、好ましくは、植物由来の素材の粉砕物、合成樹脂、粘土鉱物等の成分の１種以上を含んで構成され、成形された成形物が挙げられる。粒状物１０９の形状は、図８に示す如き円筒形状に限定されず、例えば球状、立方体、直方体等とすることができる。粒状物１０９としては、本出願人の先の出願に係る特許第３７８８６２５号公報に記載の排泄物処理剤を用いることもできる。
【００４４】
ペット用トイレシステム１００Ａは、図８に示すように、仕切部材１０３の上面全面に適量の粒状物１０９を敷設して上層部分Ａに粒状物１０９の層を形成すると共に、下層部分Ｂの収容部１０６にシーツ１Ａ，１Ａ’の２枚を並置して使用する。上層部分Ａに収容された粒状物１０９は、ペットが排泄する尿を素早く通過させ、この通過した尿は、液通過構造を有する仕切部材１０３の貫通孔１３１を介して下層部分Ｂのペット用シーツ１Ａ，１Ａ’上に落下し、ペット用シーツ１Ａ，１Ａ’に吸収される。
【００４５】
上述したように、犬や猫等のペットは、いつも決まった場所で排泄する傾向があり、例えば、一方のシーツ１Ａの所定の場所に対応する仕切部材１０３の上面全面に配された粒状物１０９の位置に排尿する習慣となっている場合、粒状物１０９は、ペットが排泄する尿を素早く通過させ、この通過した尿は、液通過構造を有する仕切部材１０３の貫通孔１３１を介して下層部分Ｂのシーツ１Ａ上に落下し吸収される。一方のシーツ１Ａで吸収された尿は、一方のシーツ１Ａが裏面シート巻き上げ部６を有しているので、裏面シート巻き上げ部６を越えて他方のシーツ1Ａ’へ移行することができない。また、例えば、他方のシーツ１Ａ’の所定の場所に対応する仕切部材１０３の上面全面に配された粒状物１０９の位置に排尿する習慣となっている場合、粒状物１０９は、ペットが排泄する尿を素早く通過させ、この通過した尿は、液通過構造を有する仕切部材１０３の貫通孔１３１を介して下層部分Ｂの他方のシーツ１Ａ’上に落下し吸収される。他方のシーツ１Ａ’で吸収された尿は、サイドフラップ５’側に伝わったとしても、伝わった尿が、一方のシーツ１Ａの裏面シート巻き上げ部６を越えて一方のシーツ１Ａへ移行することができない。その為、収容部１０６をトイレ本体１０２から引き出し、シーツ１Ａ及びシーツ１Ａ’の内の排尿で汚れたシーツのみを交換し、他方シーツは再利用できるので、経済的である。また、このように、収容部１０６上に配された排尿で汚れたシーツのみを交換できるので、尿を吸収した状態でペット用トイレシステム１００Ａが長時間放置されることが少なく、収容部１０６を汚し難い。また、収容部１０６上に配された排尿で汚れたシーツのみを交換できるので、尿を吸収した状態でペット用トイレシステム１００Ａが長時間放置されることが少なく、悪臭が発生し難く、衛生的である。
【００４６】
特に、ペット用トイレシステム１００Ａは、図８に示すように、隣り合う２枚のシーツ１Ａ，１Ａ’の何れかに尿を誘導する尿誘導部材１０７が設けられている。その為、収容部１０６上に配された２枚のシーツ１Ａ，１Ａ’の内の一方が更に汚れ易く、他方が更に汚れ難くなっており、他方シーツは再利用でき、非常に経済的であり、非常に衛生的である。
【００４７】
また、ペット用トイレシステム１００Ａにおいては、図７に示すように、収容部１０６に収容されたペット用シーツ１Ａのサイドフラップ５が側壁部１６１ｂに沿って上方に折り曲げられ、ペット用シーツ１ＡのＹ方向の両端側のフラップが側壁部１６１ａに沿って上方に折り曲げられるようになる。また、ペット用シーツ１Ａ’のＹ方向の両端側のフラップが側壁部１６１ａに沿って上方に折り曲げられるようになる。その為、収容部１０６が更に汚れ難くなっている。
【００４８】
以上、本発明をその好ましい実施形態に基づき説明したが、本発明は上述した実施形態に制限されない。例えば、第１実施形態のペット用シーツ１Ａ以外にも、後述する第２実施形態のペット用シーツ１Ｂであってもよい。第２実施形態のペット用シーツ１Ｂについては、第１実施形態のペット用シーツ１Ａと異なる点について説明する。特に説明しない点は、ペット用シーツ１Ａと同様であり、ペット用シーツ１Ａの説明が適宜適用される。また、ペット用シーツ１Ｂの効果については、ペット用シーツ１Ａの効果と異なる点について説明する。特に説明しない点は、ペット用シーツ１Ａの効果と同様であり、ペット用シーツ１Ａの効果の説明が適宜適用される。
【００４９】
第２実施形態のペット用シーツ１Ｂ（以下、「シーツ１Ｂ」とも言う。）に関して説明すると、シーツ１Ｂの表面シート２は、図９に示すように、矩形状の吸収体４より大きく、吸収体４の短手方向（Ｘ方向）の一端から延出する表面シート延出部分２１を有し、吸収体４の短手方向（Ｘ方向）の他端まで延在する表面シート他端部２２を有している。シーツ１Ｂの表面シート２は、表面シート他端部２２の端と吸収体４のＸ方向の他端とが一致しており、吸収体４のＸ方向の一端及び吸収体４のＹ方向の両端から外方に延出した矩形状に形成されている。
【００５０】
シーツ１Ｂの裏面シート３は、図９に示すように、矩形状の吸収体４より大きく、当初、吸収体４の周囲から延出しており、吸収体４の短手方向（Ｘ方向）の一端から延出する一端側の裏面シート延出部分３１を有し、吸収体４の短手方向（Ｘ方向）の他端から延出する他端側の裏面シート延出部分３２を有している。シーツ１Ｂの裏面シート３は、当初、表面シート２よりも広く、吸収体４の全周囲から延出した矩形状に形成されている。
【００５１】
以上の構成を有するシーツ１Ｂは、少なくとも裏面シート３における吸収体４の短手方向（Ｘ方向）の両端から延出した両端側の裏面シート延出部分３１，３２の内の何れか一方が、吸収体４の上面側に巻き上げられている。具体的には、図９に示すように、吸収体４の短手方向（Ｘ方向）の一端側においては、一端側の裏面シート延出部分３１と表面シート延出部分２１とが接合されている。そして、吸収体４の短手方向（Ｘ方向）の他端側においては、他端側の裏面シート延出部分３２が、吸収体４の上面側に巻き上げられて、吸収体４と表面シート他端部２２との間に配され固定されている。詳述すると、表面シート２と吸収体４との間、裏面シート３と吸収体４との間は、ホットメルト接着剤等の接合手段により接合されている。そして、吸収体４のＸ方向の一端側においては、裏面シート延出部分３１と表面シート延出部分２１とが、ホットメルト接着剤等の接合手段により接合されて、サイドフラップ５を形成している。また、吸収体４のＸ方向の他端側においては、裏面シート延出部分３２が、吸収体４の上面側に巻き上げられて、吸収体４と表面シート他端部２２との間に配され、表面シート他端部２２と裏面シート延出部分３２が、ホットメルト接着剤等の接合手段により接合されて、裏面シート巻き上げ部６を形成している。
【００５２】
シーツ１Ｂは、シーツ１Ａと同様に、２枚１組で使用される。例えば、シーツ１Ｂを２枚並置して一組で使用するペット用シーツセットとして使用される。具体的には、シーツ１Ａと同様に、シーツ１Ｂを２枚並置したペット用シーツセットをペット用トイレ１０１に収容したペット用トイレシステムとして使用される。尚、上述のシーツ１Ａ乃至シーツ１Ｂにおける各構成要件は、本発明の趣旨を損なわない範囲で、適宜組み合わせて実施できる。
【００５３】
また、上述のシーツ１Ａ乃至シーツ１Ｂは、吸収体４の短手方向（Ｘ方向）の両端から延出した両端側の裏面シート延出部分３１，３２の内の一方のみが、吸収体４の上面側に巻き上げられている形態であるが、両端側の裏面シート延出部分３１，３２の両方が、吸収体４の上面側に巻き上げられている形態であってもよい。尚、前記両端側の裏面シート延出部分３１，３２の両方が、吸収体４の上面側に巻き上げられている形態は、シーツ１Ａ，１Ｂを２枚並置したペット用シーツセットを収容したペット用トイレシステムにのみ利用できる。
【００５４】
また、上述したシーツ１Ａは、シーツ１Ａを２枚並置して一組で使用するペット用シーツセットとして使用され、上述したシーツ１Ｂは、シーツ１Ｂを２枚並置して一組で使用するペット用シーツセットとして使用されているが、シーツ１Ａとシーツ１Ｂとを並置して一組で使用するペット用シーツセットとして使用されてもよい。また上述したシーツ１Ａもシーツ１Ｂも、全く異なる別のペット用シーツと共に並置して一組で使用するペット用シーツセットとして使用されてもよい。このような全く異なる別のペット用シーツとしては、各社から市販されている各種取り換え専用のペット用シーツ等が挙げられる。
【００５５】
また、上述のシーツ１Ａが有する吸収体４に関し、図３に示すように、吸収体４を構成する吸収性コア４１の上層側の集合体４２ｕのＸ方向の両端部が、Ｘ方向中央部のＺ方向の厚みに比べて、Ｚ方向の厚みが薄くなっている形態であるが、図１０に示すように、吸収体４を構成する上層側の集合体４２ｕのＺ方向の厚みが均一なフラットな形態であってもよい。
【００５６】
シーツ１Ａ，１Ｂを２枚並置したペット用シーツセットを収容したペット用トイレシステム１００Ａの備えるペット用トイレ１０１は、図６，図８に示すように、上層部分Ａに便床を形成する粒状物１０９を収容する所謂猫用のペット用トイレであるが、粒状物１０９を収容しない所謂犬用のペット用トイレであってもよい。犬用のペット用トイレとしては、例えば、シーツ１Ａの２枚を並置して収容するトレー状の収容部上に、メッシュ状の仕切部材を備えたペット用トイレが挙げられる。メッシュ状の仕切部材は、ペット用シーツからの排泄後の液戻りの防止、及びいたずらによるペット用シーツの破損の防止の役割を果たす部材である。該仕切部材には、隣り合う２枚のペット用シーツの何れかに尿を誘導する尿誘導部材が、隣り合う２枚の該ペット用シーツの境界に沿って延在して設けられていることが好ましい。
【００５７】
上述した実施形態に関し、さらに以下のペット用シーツを開示する。
【００５８】
＜１＞
液透過性の表面シート、液不透過性の裏面シート、両シート間に配された矩形状の吸収体を備えたペット用シーツであって、
前記ペット用シーツは他のペット用シーツと並置して使用され、該並置された方向を前記吸収体の短手方向とするペット用シーツであり、
少なくとも前記裏面シートは、前記吸収体より大きく、該吸収体の周囲から延出しており、該裏面シートにおける該吸収体の短手方向の両端から延出した両端側の裏面シート延出部分の内の何れか一方が、該吸収体の上面側に巻き上げられており、該巻き上げられた側に前記他のペット用シーツを並置するペット用シーツ。
【００５９】
＜２＞
前記表面シートは、前記吸収体より大きく、該吸収体の短手方向の一端から延出する表面シート延出部分を有し、該吸収体の短手方向の他端まで延在する表面シート他端部を有しており、
前記吸収体の短手方向の一端側においては、一端側の裏面シート延出部分と前記表面シート延出部分とが接合されており、
前記吸収体の短手方向の前記裏面シート延出部分が吸収体上面側に巻き上げられた側である他端側においては、他端側の裏面シート延出部分が、該吸収体の上面側に巻き上げられて、前記表面シート他端部上に配され固定されている前記＜１＞に記載のペット用シーツ。
＜３＞
前記表面シートは、前記吸収体より大きく、該吸収体の短手方向の一端から延出する表面シート延出部分を有し、該吸収体の短手方向の他端まで延在する表面シート他端部を有しており、
前記吸収体の短手方向の一端側においては、一端側の裏面シート延出部分と前記表面シート延出部分とが接合されており、
前記吸収体の短手方向の前記裏面シート延出部分が吸収体上面側に巻き上げられた側である他端側においては、他端側の裏面シート延出部分が、該吸収体の上面側に巻き上げられて、該吸収体と前記表面シート他端部との間に配され固定されている前記＜１＞に記載のペット用シーツ。
＜４＞
トイレ本体、及び該トイレ本体内を上層部分と下層部分とに区画する仕切部材を備え、該上層部分に便床を形成する粒状物を収容するペット用トイレに収容されて用いられる前記＜１＞〜＜３＞の何れか１に記載のペット用シーツであって、
前記ペット用シーツは、前記ペット用トイレの前記下層部分に、２枚並置して収容され、２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用シーツ。
＜５＞
前記シーツは、平面視して、長手方向（Ｙ方向）に長い長方形状に形成されており、該シーツは、長手方向（Ｙ方向）の長さが２２０ｍｍ〜５８０ｍｍ、短手方向（Ｘ方向）の長さが１１０ｍｍ〜４４０ｍｍ、該シーツの厚み方向（Ｚ方向）の厚みは、１．０ｍｍ〜１２ｍｍである前記＜１＞〜＜４＞の何れか１に記載のペット用シーツ。
＜６＞
前記シーツの前記表面シートは、前記吸収体の長手方向（Ｙ方向）の両端それぞれから延出する長手側表面シート延出部分を有しており、前記表面シートは、該吸収体の短手方向の他端まで延在する表面シート他端部の端と前記吸収体のＸ方向の他端とが一致しており、前記吸収体の短手方向（Ｘ方向）の一端及び該吸収体の長手方向（Ｙ方向）の両端から外方に延出した矩形状に形成されている前記＜１＞〜＜５＞の何れか１に記載のペット用シーツ。
＜７＞
前記表面シートは、低坪量の液透過性の不織布であり、その坪量が、５０ｇ／ｍ２以下であり、好ましく、３０ｇ／ｍ２以下である前記＜１＞〜＜６＞の何れか１に記載のペット用シーツ。
＜８＞
前記裏面シートは、ポリエチレン製等のフィルムであり、その坪量が、４０ｇ／ｍ２以下好ましくは、２５ｇ／ｍ２以下である前記＜１＞〜＜７＞の何れか１に記載のペット用シーツ。
【００６０】
＜９＞
前記吸収体は、長手方向（Ｙ方向）に長い矩形状に形成され、長手方向（Ｙ方向）の長さが２００ｍｍ〜５００ｍｍ、短手方向（Ｘ方向）の長さが１００ｍｍ〜４００ｍｍ、該吸収体の厚み方向（Ｚ方向）の厚みは、０．５ｍｍ〜１０ｍｍである前記＜１＞〜＜８＞の何れか１に記載のペット用シーツ。
＜１０＞
前記吸収体は、高吸収性ポリマー、フラッフパルプを含む吸収性コアを、紙，不織布何れからなるコアラップシートで包んだものであり、該フラッフパルプの集合体内に該高吸収性ポリマーが分散配置された該吸収性コアの全体を、薄い紙からなる該コアラップシートで覆って形成されており、
前記高吸収性ポリマーは、フラッフパルプ中に混合された状態で用いられるか、前記裏面シート３側に散布されたり、層状にして厚み方向中央に挿入されたり、或いは、ポリマーシート化するなどの手段で部分的に配置された前記＜１＞〜＜９＞の何れか１に記載のペット用シーツ。
＜１１＞
前記フラッフパルプの集合体の厚み方向（Ｚ方向）中央に、高吸収性ポリマーを層状にして挿入して形成された吸収性コアをコアラップシートで包んだ吸収体が使用されている前記＜１０＞に記載のペット用シーツ。
＜１２＞
前記吸収性コアは、フラッフパルプの上層側の集合体と該フラッフパルプの下層側の集合体との間に、高吸収性ポリマーを散布して積層して形成され、前記上層側の集合体の坪量の方が、前記下層側の集合体の坪量よりも低く形成され、前記吸収性コアは、長手方向（Ｙ方向）の両端を除いて、全体がコアラップシートで被覆されている前記＜１１＞に記載のペット用シーツ。
＜１３＞
前記コアラップシートは、上層コアラップシートと下層コアラップシートとから構成され、
前記上層コアラップシートは、短手方向（Ｘ方向）及び長手方向（Ｙ方向）の長さが、前記吸収性コアの短手方向（Ｘ方向）及び長手方向（Ｙ方向）の長さと略一致するように形成され、
前記下層コアラップシートは、長手方向（Ｙ方向）の長さが、前記吸収性コアの長手方向（Ｙ方向）の長さと略一致しており、短手方向（Ｘ方向）の長さが該吸収性コアの短手方向（Ｘ方向）の長さよりも長く、前記上層コアラップシートよりも幅広に形成され、
前記上層コアラップシートは、前記吸収性コアの上面に対向して配され、
前記下層コアラップシートは、前記吸収性コアの下面に対向して配され、該吸収性コアの短手方向（Ｘ方向）の両端から延出した部分が、該吸収性コアの上面を被覆する前記上層コアラップシートの上面上に巻き上げられている前記＜１１＞又は＜１２＞に記載のペット用シーツ。
＜１４＞
前記吸収体を構成する前記吸収性コアの上層側の集合体は、短手方向（Ｘ方向）の両端部が、短手方向（Ｘ方向）中央部の厚み方向（Ｚ方向）の厚みに比べて、厚み方向（Ｚ方向）の厚みが薄くなっており、該上層側の集合体の長手方向（Ｙ方向）に沿う両側部全域に亘って、前記上層側の集合体の短手方向（Ｘ方向）の両端部が、短手方向（Ｘ方向）の外方に向かって漸次薄くなっている前記＜１１＞〜＜１３＞の何れか１に記載のペット用シーツ。
＜１５＞
前記吸収体の短手方向（Ｘ方向）の一端側においては、前記裏面シート延出部分と前記表面シート延出部分とが、ホットメルト接着剤等の接合手段により接合されて、サイドフラップを形成し、該吸収体の短手方向（Ｘ方向）の他端側においては、該裏面シート延出部分が、該吸収体の上面側に巻き上げられて、該表面シート他端部上に配され、該表面シート他端部と該裏面シート延出部分が、ホットメルト接着剤により接合されて、裏面シート巻き上げ部を形成し、
前記裏面シート延出部分と前記表面シート延出部分とを接合してなる前記サイドフラップは、短手方向（Ｘ方向）の幅が、１０ｍｍ以上４０ｍｍ以下好ましくは、２０ｍｍ以上３０ｍｍ以下に形成され、ホットメルト接着剤の塗布は、線状、面状、ドット状、スパイラル状、或いは霧状の何れかである前記＜１＞〜＜１４＞の何れか１に記載のペット用シーツ。
＜１６＞
前記吸収体の長手方向（Ｙ方向）の両端側においては、両端それぞれから延出する長手側表面シート延出部分と長手側裏面シート延出部分とが、ホットメルト接着剤等の接合手段により接合され固定されて、フラップを形成し、
前記長手側表面シート延出部分と前記長手側裏面シート延出部分とを接合してなる前記フラップは、長手方向（Ｙ方向）外方に延出しており、長手方向（Ｙ方向）の幅が、１０ｍｍ以上４０ｍｍ以下好ましくは、２０ｍｍ以上３０ｍｍ以下に形成されている前記＜１＞〜＜１５＞の何れか１に記載のペット用シーツ。
＜１７＞
前記シーツは、前記吸収体の短手方向（Ｘ方向）の両端から延出した両端側の裏面シート延出部分の内の一方のみが、該吸収体の上面側に巻き上げられている形態であるかあるいは、両端側の該裏面シート延出部分の両方が、該吸収体の上面側に巻き上げられている形態の何れかである前記＜１＞〜＜１６＞の何れか１に記載のペット用シーツ。
＜１８＞
猫用である前記＜１＞〜＜１７＞の何れか１に記載のペット用シート。
＜１９＞
犬用である前記＜１＞〜＜１７＞の何れか１に記載のペット用シーツ。
【００６１】
＜２０＞
前記＜１＞〜＜１９＞の何れか１に記載のペット用シーツを２枚並置して一組で使用するペット用シーツセットであって、
２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用シーツセット。
【００６２】
＜２１＞
トイレ本体、及び該トイレ本体内を上層部分と下層部分とに区画する仕切部材を備え、該上層部分に便床を形成する粒状物を収容するペット用トイレと、該ペット用トイレに収容されて用いられる前記＜１＞〜＜１９＞の何れか１に記載のペット用シーツとを有するペット用トイレシステムであって、
前記ペット用シーツは、前記ペット用トイレの前記下層部分に、２枚並置して収容され、２枚の前記ペット用シーツは、一方の該ペット用シーツの有する前記吸収体の短手方向の一端と、他方の該ペット用シーツの有する前記吸収体の短手方向の一端とを隣接させ、面一で配されているペット用トイレシステム。  
＜２２＞
前記トイレ本体を上層部分と下層部分とに区画する仕切部材には尿誘導部材が形成され、該尿誘導部材は、隣り合う２枚の前記ペット用シーツの何れかに尿を誘導するため、隣り合う２枚の前記ペット用シーツの境界に沿って延在して設けられている前記＜２１＞に記載のペット用トイレシステム。
＜２３＞
前記ペット用トイレは内容器を有し、
前記ペット用トイレシステムの前記尿誘導部材は、前記仕切部材の上面（上層部分側の面）に取り付けられており、隣接する２枚の前記シーツの境界の上方（真上）に位置し、前記内容器内の短手方向（Ｘ方向）の全長に亘って、該内容器の対向する一対の側壁部間に亘って連続し、
前記尿誘導部材は貫通孔を有さず液通過構造を有していない前記＜２２＞に記載のペット用トイレシステム。
＜２４＞
前記尿誘導部材は、隣接する２枚の前記シーツの境界の上方（真上）に位置する頂部から２枚の該シーツに向けて斜め下方に延びる２つの斜面を有し、
前記尿誘導部材は、前記トイレ本体の長手方向（隣接する２枚の前記シーツ１の境界と直交する方向）に沿った断面視において、略二等辺三角形形状に形成されており、該二等辺三角形形状部分の頂部が、隣接する２枚の該シーツの境界の真上に位置し、該二等辺三角形形状部分の下部が前記仕切部材の上面と接合されている前記＜２３＞に記載のペット用トイレシステム。
＜２５＞
前記２つの斜面のなす角度αは、２８°以上１７６°以下であり、好ましくは４５°以上１６０°以下である前記＜２４＞に記載のペット用トイレシステム。
【符号の説明】
【００６３】
１Ａ，１Ｂ  ペット用シーツ
２  表面シート
２１，２４  表面シート延出部分
２２  表面シート他端部
２３  長手側表面シート延出部分
３  裏面シート
３１，３２  裏面シート延出部分
３３  長手側裏面シート延出部分
４  吸収体
４１  吸収性コア
４４  コアラップシート
５，７  サイドフラップ
６  裏面シート巻き上げ部
１０１  ペット用トイレ
１０２  トイレ本体
１０３  仕切部材
１０４  外容器
１０５  内容器
１０６  収容部
１０７  尿誘導部材
１０９  粒状物
１００Ａ  ペット用トイレシステム
【図１】
2015204798.tif 000003
【図２】
2015204798.tif 000004
【図３】
2015204798.tif 000005
【図４】
2015204798.tif 000006
【図５】
2015204798.tif 000007
【図６】
2015204798.tif 000008
【図７】
2015204798.tif 000009
【図８】
2015204798.tif 000010
【図９】
2015204798.tif 000011
【図１０】
2015204798.tif 000012